(57)【特許請求の範囲】
【請求項１】
ヘッドバンドと、
放音装置を内部に有する放音部と、
上下方向に沿う回動軸を中心として前記放音部を回動可能に前記ヘッドバンドに連結する連結部と、
前記放音部の回動範囲を調整する調整部と、を備えることを特徴とするヘッドホン。
【請求項２】
請求項１に記載のヘッドホンにおいて、
前記調整部は、第１回動範囲と、前記第１回動範囲より狭い第２回動範囲との一方に前記回動範囲を切り替えることを特徴とするヘッドホン。
【請求項３】
請求項２に記載のヘッドホンにおいて、
前記調整部は、
前記放音部と当接して、前記第１回動範囲及び前記第２回動範囲のそれぞれにおける一端を規定する第１固定規定部と、
前記放音部と当接して、前記第１回動範囲における他端を規定する第２固定規定部と、
前記放音部と当接して、前記第２回動範囲における他端を規定する移動規定部と、
前記移動規定部を移動させて、前記第１回動範囲と前記第２回動範囲との一方に前記回動範囲を切り替える切替部と、を備えることを特徴とするヘッドホン。
【請求項４】
請求項３に記載のヘッドホンにおいて、
前記放音部は、前記回動軸に沿う軸部を備え、
前記軸部は、径方向内側に凹む凹部を外周に有し、
前記第１固定規定部及び前記第２固定規定部は、それぞれ前記凹部の一端縁及び他端縁に当接可能に前記凹部内に配置され、
前記移動規定部は、前記切替部によって前記凹部の内外に移動されることを特徴とするヘッドホン。
【請求項５】
請求項４に記載のヘッドホンにおいて、
前記切替部は、前記移動規定部を前記回動軸に直交する方向に移動させるスライド部材であることを特徴とするヘッドホン。
【請求項６】
請求項１に記載のヘッドホンにおいて、
前記調整部は、
前記放音部と当接して、前記回動範囲における一端を規定する固定規定部と、
前記回動軸の周方向に沿って移動し、前記放音部と当接して、前記回動範囲における他端を規定する移動規定部と、を備えることを特徴とするヘッドホン。
【請求項７】
請求項６に記載のヘッドホンにおいて、
前記調整部は、前記回動軸の周方向に沿って前記移動規定部を移動させるダイヤルを有することを特徴とするヘッドホン。
【請求項８】
請求項２に記載のヘッドホンにおいて、
前記調整部は、
前記回動範囲における一端を規定する一端側規定部と、
前記回動軸に沿う方向において位置を違えて配置され、かつ、前記回動軸の周方向において位置を違えて配置されて、前記回動範囲における他端を規定する複数の他端側規定部と、
前記回動軸に沿って移動可能に前記放音部に設けられ、前記一端側規定部と前記複数の他端側規定部のいずれかとに当接されて、前記回動軸を中心とする前記放音部の回動を規制する回動規制部と、を有することを特徴とするヘッドホン。
【請求項９】
請求項１に記載のヘッドホンにおいて、
前記調整部は、前記回動軸の周方向に沿って所定角度毎に前記放音部を係止する係止部を有することを特徴とするヘッドホン。
【請求項１０】
請求項１ないし請求項９のいずれか一項に記載のヘッドホンにおいて、
前記放音部、前記連結部及び前記調整部は、それぞれ一対設けられ、
前記回動範囲は、一対の前記放音部の放音面が互いに対向する位置を０°とした場合に、０°以上、９０°以下の回動角度範囲内で調整されることを特徴とするヘッドホン。
【請求項１１】
ヘッドバンドと、
放音装置を内部に有する放音部と、
前記ヘッドバンドに設けられ、上下方向に沿う回動軸を中心として前記放音部を回動可能に支持する連結部と、
前記放音部の回動が規制される位置を調整する調整部と、を備えることを特徴とするヘッドホン。
【発明の詳細な説明】
【技術分野】
【０００１】
本発明は、ヘッドホンに関する。
【背景技術】
【０００２】
従来、左右の耳を覆うように、使用者の頭部に装着されるヘッドホンが知られている。このようなヘッドホンとして、左右の耳に装着される一対のハウジングが、頭部に装着されるヘッドバンドの端部に設けられた連結部に回動可能に連結されたヘッドホンが知られている（例えば、特許文献１参照）。
この特許文献１に記載のヘッドホンでは、一対のハウジングのそれぞれは、スピーカーユニットを収容した本体部と、当該本体部を支持するハンガーとを有する。そして、ヘッドホンの基準使用姿勢では、各本体部の放音面が互いに対向するが、各ハウジングを互いに反対方向に回動させることによって、各放音面が後方を向く姿勢に変更できる。すなわち、当該ヘッドホンでは、基準使用姿勢を基準としてハウジングを９０°回動させることが可能である。
【先行技術文献】
【特許文献】
【０００３】
【特許文献１】特開２０１６−５０５８号公報
【発明の概要】
【発明が解決しようとする課題】
【０００４】
ここで、ＤＪ（Disc Jockey）等の一部の使用者は、一般的な使用者とは異なる形態でヘッドホンを用いることが多い。例えば、ＤＪは、場内に流れている音楽、及び、次に流す音楽のそれぞれをモニタリングする必要があるため、一方の耳で場内に流れている音楽を聞き、他方の耳で次に流す音楽をモニタリングすることがある。この場合、例えばＤＪは、左右のハウジングのうち、一方のハウジングを耳に当て、他方のハウジングを顎等によって押さえたり、或いは、当該他方のハウジングを後頭部に当てたりする等してヘッドホンを装着する場合がある。【０００５】
これに対し、上記特許文献１に記載のヘッドホンでは、ハウジングは、上記基準使用姿勢に位置する場合、及び、当該基準使用姿勢から９０°回動された場合の２箇所でしか回動が規制されない。このため、上記他方のハウジングを顎等で押さえようとしたり、後頭部に当てようとしたりすると、当該他方のハウジングが回動されすぎてしまい、安定しづらい。このことから、上記特許文献１に記載のヘッドホンには、安定して装着しづらいという問題が一例として挙げられる。
一方で、ハウジングの回動範囲を９０°より小さくすることが考えられるが、この場合には、ヘッドホンの厚さ寸法（奥行き寸法）が小さくなりづらい。このことから、当該ヘッドホンの収納時にスペースが大きくなるという問題が生じる可能性がある。【０００６】
本発明は、このような問題点などに鑑みて、利便性を向上できるヘッドホンを提供することを一つの目的とする。
【課題を解決するための手段】
【０００７】
本発明の第１態様に係るヘッドホンは、ヘッドバンドと、放音装置を内部に有する放音部と、上下方向に沿う回動軸を中心として前記放音部を回動可能に前記ヘッドバンドに連結する連結部と、前記放音部の回動範囲を調整する調整部と、を備えることを特徴とする。【０００８】
本発明の第２態様に係るヘッドホンは、ヘッドバンドと、放音装置を内部に有する放音部と、前記ヘッドバンドに設けられ、上下方向に沿う回動軸を中心として前記放音部を回動可能に支持する連結部と、前記放音部の回動が規制される位置を調整する調整部と、を備えることを特徴とする。
【図面の簡単な説明】
【０００９】
【図１】本発明の第１実施形態に係るヘッドホンを示す正面図。
【図２】上記第１実施形態における基準位置に位置する放音部を上方から見た図。
【図３】上記第１実施形態における第１規制位置に位置する放音部を上方から見た図。
【図４】上記第１実施形態における第２規制位置に位置する放音部を上方から見た図。
【図５】上記第１実施形態における軸部と調整部の一部とを示す斜視図。
【図６】上記第１実施形態における放音部が基準位置に位置する状態の調整部を示す模式図。
【図７】上記第１実施形態における放音部が第１規制位置に位置する状態の調整部を示す模式図。
【図８】上記第１実施形態における放音部が第２規制位置に位置する状態の調整部を示す模式図。
【図９】上記第１実施形態における他の操作部を示す斜視図。
【図１０】本発明の第２実施形態に係るヘッドホンが備える調整部の構成及び軸部の回動範囲を示す模式図。
【図１１】本発明の第３実施形態に係るヘッドホンが備える放音部及び調整部の構成を示す模式図。
【図１２】本発明の第４実施形態に係るヘッドホンが備える放音部及び調整部の構成を示す模式図。
【図１３】上記第４実施形態における放音部の回動状態を上方から見た図。
【発明を実施するための形態】
【００１０】
［第１実施形態］
以下、本発明の第１実施形態について、図面に基づいて説明する。
［ヘッドホンの全体構成］
図１は、本実施形態に係るヘッドホン１を示す正面図である。
本実施形態に係るヘッドホン１は、使用者の頭部に装着されて、当該使用者の各耳に音声を出力するものである。このヘッドホン１は、図１に示すように、ヘッドバンド２と、２つの放音部３（３Ｌ，３Ｒ）と、２つの連結部４（４Ｌ，４Ｒ）と、２つの調整部５（５Ｌ，５Ｒ）と、を備える。
なお、以下の説明では、正面側（前側）及び背面側（後側）を、ヘッドホン１を装着した使用者にとっての正面側（前方）及び背面側（後方）とする。同様に、上方及び下方を、使用者にとっての上方及び下方とし、左側及び右側を、使用者にとっての左側及び右側とする。
【００１１】
本実施形態に係るヘッドホン１は、上下方向に沿う回動軸を中心としてそれぞれの放音部３が回動可能に各連結部４に支持されており、当該各連結部４に設けられた調整部５によって、各放音部３の回動範囲を調整可能に構成されている点を特徴の１つとしている。
【００１２】
図２は、基準位置に位置する放音部３を上方から見た図である。図３は、第１規制位置に位置する放音部３を上方から見た図である。図４は、第２規制位置に位置する放音部３を上方から見た図である。
具体的に、放音部３は、連結部４によって回動可能に支持されている。そして、放音部３は、図２に示すように、ヘッドホン１が通常使用される状態である、各放音部３の放音面３Ｓが互いに対向する基準位置（図１に示した状態の各放音部３の位置）を０°とした場合に、当該基準位置から、各放音部３が背面側を向く第１規制位置までの９０°以下の範囲（第１回動範囲）で回動可能である。また、調整部５によって、当該放音部３の回動範囲を、基準位置から第２規制位置までの４５°以下の範囲（第２回動範囲）に切り替えることができる。このように、ヘッドホン１の使用状態に応じて、各放音部３の向き及び規制位置を調整できる。
以下、ヘッドホン１の各構成について説明する。
【００１３】
［ヘッドバンドの構成］
ヘッドバンド２は、図１に示すように、頭部に装着される円弧状部材である。このヘッドバンド２は、左耳に応じて配置される放音部３Ｌと、右耳に応じて配置される放音部３Ｒと、を懸架する。このようなヘッドバンド２の左側の端部には、当該端部と放音部３Ｌとを連結する連結部４Ｌが設けられ、右側の端部には、当該端部と放音部３Ｒとを連結する連結部４Ｒが設けられている。
なお、このようなヘッドバンド２における左右の端部近傍に、当該ヘッドバンド２の円弧形状に沿って伸縮可能な伸縮機構を設けてもよい。
【００１４】
［放音部の構成］
一対の放音部３（左側及び右側の放音部をそれぞれ３Ｌ，３Ｒとする）は、入力される音声信号に応じた音声を出力する。これらのうち、左側の放音部３Ｌは、左耳を覆い、右側の放音部３Ｒは、右耳を覆うように配置される。このような放音部３は、それぞれ、ハウジング３１と、放音装置としてのスピーカー３２と、パッド３３と、ハンガー３４と、を備えて構成されている。
【００１５】
ハウジング３１は、円筒状に形成され、上記スピーカー３２を内部に収容する。このハウジング３１は、前後方向に沿う回動軸ＡＸ１を中心として上下に回動可能にハンガー３４に支持されている。なお、図示を省略するが、左右のハウジング３１のうち、一方のハウジング３１には、音響装置と接続される入力コードが設けられている。この入力コードを介して、音響機器から出力された左耳及び右耳用の音声信号のうち一方の音声信号が、当該一方のハウジング３１内に配置されたスピーカー３２に入力される。また、他方の音声信号は、ヘッドバンド２内に設けられた信号線（図示省略）を介して、他方のハウジング３１内に収容されたスピーカー３２に入力される。なお、上記音声信号を無線にて受信可能に構成されている場合には、当該入力コードは無くてもよい。
パッド３３は、ハウジング３１の使用者の側頭部側となる放音面に取り付けられている。このようなパッド３３は、頭部に接触した際のフィット感を高めるために、クッション性を有する材料（例えば低反発ウレタン）により構成できる。
【００１６】
ハンガー３４は、ハウジング３１を支持し、それぞれ対応する連結部４に支持される。これらハンガー３４は、支持部３５と、軸部３６（図５参照）と、を有する。
支持部３５は、ハウジング３１の周方向に沿うように、半円形の円弧状に形成されている。この支持部３５は、両端にてハウジング３１における直径方向の両端を支持する。これにより、上記のように、ハウジング３１は、ハンガー３４に、水平方向に沿う上記回動軸ＡＸ１を中心として上下に回動可能に支持される。このような支持部３５は、ヘッドホン１を正面側から見た際に上下方向に対して所定の角度で傾斜している。
【００１７】
図５は、軸部３６と後述する調整部５の一部とを示す斜視図である。
軸部３６は、支持部３５から上方に突出し、対応する連結部４に回動可能に支持される部位である。この軸部３６は、ハンガー３４が連結部４に支持される際には、当該軸部３６の中心軸が上下方向に沿うように配置される。このような軸部３６は、図５に示すように、先端部（支持部３５とは反対側の端部）に、当該軸部３６の周方向に沿って形成された凹部３７を有する。
この凹部３７内には、後述する調整部５を構成する固定規定部５１（図５では図示省略）が配置される。また、ヘッドホン１の使用状態に応じて、当該調整部５を構成する移動規定部５２が配置される。
【００１８】
［連結部の構成］
一対の連結部４（左側及び右側の連結部をそれぞれ４Ｌ，４Ｒとする）のそれぞれは、図１に示したように、ヘッドバンド２における左右両端に設けられる。そして、各連結部４は、ヘッドバンド２と、対応する放音部３のハンガー３４とを連結する。具体的に、連結部４Ｌは、放音部３Ｌが有する軸部３６を回動可能に支持し、連結部４Ｒは、放音部３Ｒが有する軸部３６を回動可能に支持する。これら連結部４内には、上記軸部３６の先端部が位置する他、対応する調整部５が設けられている。
【００１９】
［調整部の構成］
図６は、放音部３が上記基準位置に位置する状態の調整部５を示す模式図であり、調整部５を構成する固定規定部５１に上記凹部３７の一方の端縁３７１が当接し、移動規定部５２が当該凹部３７内から退避された状態を示す模式図である。
調整部５（左側及び右側の調整部をそれぞれ５Ｌ，５Ｒとする）は、対応する軸部３６と係合して、当該軸部３６、ひいては、放音部３の回動範囲を調整する。本実施形態では、調整部５は、それぞれ上記した第１回動範囲及び第２回動範囲のうちの一方に、放音部３の回動範囲を切り替える。このような調整部５は、図５及び図６に示すように、固定規定部５１（図５では図示省略）、移動規定部５２、切替部５３及び操作部５４（図６では図示省略）を有する。
【００２０】
［固定規定部の構成］
固定規定部５１は、図６に示すように、軸部３６の軸方向に沿って見て略台形状に形成されており、上記凹部３７内に配置される。この固定規定部５１は、軸部３６の回動に伴って凹部３７の一方の端縁３７１又は他方の端縁３７２に当接して、当該軸部３６の更なる回動を規制し、これにより、当該軸部３６の回動範囲（第１回動範囲）を規定する。
このような固定規定部５１は、第１固定規定部５１１と、当該第１固定規定部５１１とは反対側に位置する第２固定規定部５１２と、を有する。
【００２１】
第１固定規定部５１１には、上記凹部３７の一方の端縁３７１が当接される。この第１固定規定部５１１に端縁３７１が当接される軸部３６の位置が、基準位置である。そして、当該基準位置に軸部３６が位置する状態では、ヘッドホン１は、図１及び図２に示したように、各放音部３の放音面３Ｓが互いに対向する姿勢となる。すなわち、この姿勢では、各放音部３による放音方向が使用者の左右の耳に向かう方向となる。以下、この姿勢を、通常使用姿勢とする。
【００２２】
図７は、放音部３が上記第１規制位置に位置する状態の調整部５を示す模式図である。詳述すると、図７は、凹部３７の端縁３７２が第２固定規定部５１２に当接した状態を示す模式図である。なお、図７に示す状態では、移動規定部５２は、凹部３７内から退避されている。
第２固定規定部５１２は、上記第１固定規定部５１１とともに、軸部３６の回動範囲（第１回動範囲）を規定する。この第２固定規定部５１２には、図７に示すように、軸部３６が、上記基準位置から回動軸ＡＸ２を中心として＋Ｄ１方向に９０°回動された場合に、上記凹部３７における他方の端縁３７２が当接される。この第２固定規定部５１２によって、軸部３６の９０°以上の回動が規制され、当該軸部３６は、第１規制位置に位置付けられる。
この状態では、図３に示したように、ヘッドホン１は、各放音部３の放音面３Ｓが同じ側（本実施形態では背面側）を向く姿勢となる。この姿勢は、ヘッドホン１を収容容器内に収納したり、当該ヘッドホン１を携帯したりする際に採用される姿勢である。以下、この姿勢を、収納姿勢とする。
このように、ヘッドホン１では、一方の端縁３７１が第１固定規定部５１１に当接する状態から、他方の端縁３７２が第２固定規定部５１２に当接する状態までの９０°の回動範囲（第１回動範囲）内で、ハンガー３４、ひいては、放音部３を回動可能に構成されている。
【００２３】
［移動規定部の構成］
図８は、放音部３が上記第２規制位置に位置する状態の調整部５を示す模式図である。詳述すると、図８は、凹部３７内に移動規定部５２が配置された状態を示す模式図である。
移動規定部５２は、図６ないし図８に示すように、切替部５３と一体化されており、当該切替部５３の移動に伴って、上記端縁３７２が当接可能な位置に配置される。
このように、移動規定部５２が凹部３７内に移動されると、軸部３６は、上記基準位置と、端縁３７２が移動規定部５２に当接する位置との間の回動範囲（第２回動範囲）内で回動可能となる。この移動規定部５２に端縁３７２が当接される位置が、第２規制位置である。
なお、端縁３７２が移動規定部５２に当接した場合の軸部３６の回動角は、上記基準位置を０°とした場合、本実施形態では４５°に設定されている。すなわち、本実施形態では、第２回動範囲は、０°以上、４５°以下である。
【００２４】
［切替部の構成］
切替部５３は、操作部５４によって、軸部３６の中心軸（回動軸ＡＸ２）に直交する＋Ｄ２方向及び当該＋Ｄ２方向とは反対方向である−Ｄ２方向に移動されるスライド部材である。この切替部５３が、＋Ｄ２方向に移動されると、図６及び図７に示すように、当該切替部５３の一部である移動規定部５２が凹部３７外に退避される。このため、軸部３６の回動範囲は、上記第１回動範囲に設定される。一方、切替部５３が、−Ｄ２方向に移動されると、移動規定部５２が凹部３７内に挿入される。これにより、軸部３６の回動範囲は、上記第２回動範囲に設定される。
【００２５】
［操作部の構成］
操作部５４は、使用者によって操作されて、切替部５３を移動させる部材である。この操作部５４は、図１に示した本体部５４１と、図５に示した作動部５４２と、を有する。
本体部５４１は、軸部３６と同軸で回動されるダイヤルであり、使用者によって操作可能に外部に露出している。なお、本体部５４１は、軸部３６とは独立して回動される。
作動部５４２は、上記切替部５３と係合しており、本体部５４１の回動に伴って、当該切替部５３を＋Ｄ２方向及び−Ｄ２方向に移動させる。
このような操作部５４が操作されることによって、切替部５３、ひいては、移動規定部５２が凹部３７の内外に移動され、これにより、軸部３６の回動範囲が第１回動範囲及び第２回動範囲のいずれかに切り替えられる。
【００２６】
［操作部の他の構成］
図９は、他の操作部５４（本体部５４１Ａ）を示す斜視図である。
なお、操作部５４は、ダイヤルとして構成された本体部５４１に代えて、図９に示すように、スライドスイッチにより構成された本体部５４１Ａを採用してもよい。この場合でも、当該本体部５４１Ａの一方及び他方へのスライド移動に伴って作動部５４２が、切替部５３を＋Ｄ２方向及び−Ｄ２方向にスライド移動させることによって、上記回動範囲を第１回動範囲及び第２回動範囲のいずれかに切り替わるように構成できる。
また、これら本体部５４１，５４１Ａは、少なくとも一部が外部に露出するように設けられていれば、当該本体部５４１，５４１Ａの位置は限定されない。このため、図１及び図９に示すように、本体部５４１，５４１Ａは、連結部４において使用者とは反対側に露出されていてもよく、連結部４における正面側及び背面側のいずれかの位置に設けられていてもよい。更に、本体部５４１，５４１Ａは、連結部４において使用者に対向する面に設けられていてもよい。
【００２７】
［第１実施形態の作用効果］
各放音部３（３Ｌ，３Ｒ）の回動範囲を０°以上、９０°以下の上記第１回動範囲に切り替えれば、各放音部３（３Ｌ，３Ｒ）の放音面３Ｓが左右の耳に向くように、当該各放音部３を回動させることができる。また、各放音部３をそれぞれ反対方向に９０°回動させれば、各放音面３Ｓが同じ方向を向くように、当該各放音部３を回動させることができる。これにより、上記通常使用姿勢と上記収納姿勢とのそれぞれの姿勢に、ヘッドホン１の姿勢を切り替えることができる。そして、収納姿勢の場合、ヘッドホン１の厚さ寸法（前後方向の寸法）を小さくすることができるので、ヘッドホン１の収納性及び携帯性を向上させることができる。
一方、各放音部３の回動範囲を上記第２回動範囲に調整すれば、ＤＪ等の使用者が通常使用姿勢とは異なる姿勢でヘッドホン１を使用する場合でも、各放音部３が使用者の身体に沿うようにヘッドホン１を装着でき、当該放音部３が使用者にとって邪魔になることを抑制できる。従って、ヘッドホン１の装着性を向上させることができる。
このように、調整部５によって、ヘッドホン１の使用状態に応じて上記回動範囲を調整できるので、当該ヘッドホン１の利便性を向上させることができる。
【００２８】
調整部５は、上記基準位置を０°とした場合の０°以上、９０°以下の第１回動範囲と、当該第１回動範囲より狭い、０°以上、４５°以下の第２回動範囲との一方に、軸部３６、ひいては、放音部３の回動範囲を切り替える。これによれば、上記した効果を奏する第１回動範囲及び第２回動範囲に、各放音部３の回動範囲を容易に切り替えることができる。
【００２９】
調整部５は、放音部３の軸部３６における凹部３７の端縁３７１に当接して、第１回動範囲及び第２回動範囲のそれぞれの一端を規定する第１固定規定部５１１と、端縁３７２に当接して、第１回動範囲の他端を規定する第２固定規定部５１２と、端縁３７２に当接して、第２回動範囲の他端を規定する移動規定部５２と、当該移動規定部５２を移動させて、第１回動範囲と第２回動範囲との一方に、放音部３の回動範囲を切り替える切替部５３と、を備える。これによれば、切替部５３によって、移動規定部５２を移動させることにより、放音部３の回動範囲を、第１回動範囲と第２回動範囲との一方に切り替えることができる。従って、当該回動範囲の切替を確実かつ容易に実施できる。
【００３０】
放音部３は、回動軸ＡＸ２に沿う軸部３６を備え、当該軸部３６は、径方向内側に凹む凹部３７を外周に有する。また、第１固定規定部５１１及び第２固定規定部５１２は、それぞれ、凹部３７における一方の端縁３７１及び他方の端縁３７２に当接可能に凹部３７内に配置される。更に、移動規定部５２は、切替部５３によって凹部３７の内外に移動される。これによれば、移動規定部５２を凹部３７外に移動させることによって、上記回動範囲を第１回動範囲に切り替えることができる。また、当該移動規定部５２を凹部３７内に移動させることによって、上記回動範囲を第２回動範囲に切り替えることができる。従って、回動範囲の切替機構を簡易に構成できる。
【００３１】
切替部５３は、移動規定部５２を軸部３６の回動軸ＡＸ２に直交する方向である＋Ｄ２方向及び−Ｄ２方向に移動させるスライド部材である。これによれば、切替部５３をスライド移動させて移動規定部５２を移動させることによって、上記回動範囲の切替を実施できる。この際、スライドスイッチにより構成された本体部５４１Ａを有する操作部５４によって、移動規定部５２を移動させるように構成できるので、上記回動範囲の切替を容易に実施できる他、当該回動範囲の切替構造を簡易に構成できる。
【００３２】
ヘッドホン１は、上記のように、ヘッドバンド２の左右にそれぞれ設けられる放音部３（３Ｌ，３Ｒ）、連結部４（４Ｌ，４Ｒ）及び調整部５（５Ｌ，５Ｒ）を備える。そして、上記回動範囲は、各放音面３Ｓが互いに対向する際の放音部３の位置を０°とした場合に、０°以上、９０°以下の回動角度範囲内で調整される。これによれば、各放音部３の回動角が０°である場合に、当該各放音部３を左右の耳に装着可能な通常使用姿勢とすることができる。また、各放音部３の回動角が９０°である場合に、当該各放音部３の放音面３Ｓが同じ方向を向くように各放音部３を配置でき、これにより、ヘッドホン１の収納性及び携帯性を向上させることができる。そして、０°以上で、かつ、９０°より小さい角度までの第２回動範囲に上記回動範囲が設定されることによって、ヘッドホン１の装着性を向上させることができる。
従って、ヘッドホン１の利便性を確実に向上させることができる。
【００３３】
本実施形態に係るヘッドホン１は、ヘッドバンド２と、スピーカー３２を内部に有する放音部３と、ヘッドバンド２に設けられ、上下方向に沿う回動軸を中心として放音部３を回動可能に支持する連結部４と、放音部３の回動が規制される位置を調整する調整部５と、を備えるものということができる。これらのうち、調整部５は、本実施形態では、放音部３の回動範囲を、第１回動範囲及び第２回動範囲のうち一方に切り替えることによって、放音部３の回動が規制される位置である第１規制位置及び第２規制位置のうち一方に切り替える。これによれば、上記したヘッドホン１と同様の効果を奏することができる。
【００３４】
［第２実施形態］
次に、本発明の第２実施形態について説明する。
本実施形態に係るヘッドホンは、上記ヘッドホン１と同様の構成を備えるが、調整部が上記放音部（軸部）の回動範囲を上記基準位置から所定角度範囲内で任意に設定可能な点において相違する。なお、以下の説明では、既に説明した部分と同一又は略同一である部分については、同一の符号を付して説明を省略する。
【００３５】
図１０は、本実施形態に係るヘッドホンが備える調整部５Ａの構成及び軸部３６の回動範囲を示す模式図である。
本実施形態に係るヘッドホンは、調整部５に代えて調整部５Ａを備える他は、上記ヘッドホン１と同様の構成及び機能を有する。
調整部５Ａは、調整部５と同様に、ヘッドバンド２の左右両端にそれぞれ設けられた各連結部４（４Ｌ，４Ｒ）の内部に設けられ、それぞれ放音部３の回動範囲を調整する。この調整部５Ａは、図１０に示すように、上記固定規定部５１と、移動規定部５２Ａと、当該移動規定部５２Ａを使用者の操作に応じて移動させる操作部（図示省略）と、を有する。
なお、操作部は、上記操作部５４と同様の構成、すなわち、ダイヤルである本体部５４１を有する構成であり、当該本体部５４１の回動軸は、軸部３６の回動軸ＡＸ２と同軸上に設定されている。
【００３６】
移動規定部５２Ａは、固定規定部５１とともに軸部３６の凹部３７内に配置されるが、当該固定規定部５１とは、軸部３６の軸方向に沿う位置が異なる。そして、移動規定部５２Ａは、上記操作部に対する操作に応じて、軸部３６の周方向（＋Ｄ１方向及び−Ｄ１方向）に沿って移動されて、当該軸部３６の回動範囲を規定する。
具体的に、移動規定部５２Ａが、固定規定部５１と重なる位置に配置されている場合には、軸部３６の回動範囲は、当該固定規定部５１の第１固定規定部５１１と端縁３７１とが当接する基準位置から、第２固定規定部５１２と端縁３７２とが当接する第１規制位置までの０°以上、９０°以下の第１回動範囲に規定される。
【００３７】
一方、移動規定部５２Ａが、固定規定部５１と重なる位置から−Ｄ１方向に移動されると、軸部３６が＋Ｄ１方向に回動された際に、上記端縁３７２が移動規定部５２Ａと当接され、軸部３６の更なる＋Ｄ１方向への回動が規制される。この場合、軸部３６の回動範囲は、上記第１回動範囲より狭められ、端縁３７１と固定規定部５１とが当接する基準位置から、端縁３７２と移動規定部５２Ａとが当接する第２規制位置との間の範囲（第２回動範囲）に設定される。
この移動規定部５２Ａの凹部３７内の位置は、上記のように、使用者が任意に調整できる。なお、移動規定部５２Ａは、図１０において固定規定部５１に対して−Ｄ１方向側の領域に移動可能であり、当該固定規定部５１に対して＋Ｄ１方向側には移動できないように構成されている。
【００３８】
［第２実施形態の作用効果］
以上説明した本実施形態に係るヘッドホンによれば、上記ヘッドホン１と同様の効果を奏することできる他、以下の効果を奏することができる。
調整部５Ａは、放音部３の軸部３６における凹部３７の端縁３７１と当接して、当該放音部３の回動範囲における一端を規定する固定規定部５１（第１固定規定部５１１）と、軸部３６の回動軸ＡＸ２の周方向（＋Ｄ１方向及び−Ｄ１方向）に沿って移動し、当該凹部３７の端縁３７２と当接して、当該放音部３の回動範囲における他端を規定する移動規定部５２Ａと、を備える。これによれば、移動規定部５２Ａの位置に応じて、放音部３の回動範囲を任意に設定でき、放音部３（軸部３６）の回動が規制されて、それ以上回らなくなる位置を任意に設定できる。
【００３９】
調整部５Ａは、回動軸ＡＸ２の周方向に沿って移動規定部５２Ａを移動させるダイヤルによって構成された本体部５４１を有する操作部を備える。これによれば、本体部５４１に対する回動操作によって、移動規定部５２Ａを所望の位置に位置付けしやすくすることができる。また、当該本体部５４１の回動軸は、軸部３６の回動軸ＡＸ２と同軸上に設定されているので、使用者が感覚的に上記回動範囲を設定できる。従って、当該回動範囲の設定操作を実施しやすくすることができる。
【００４０】
［第３実施形態］
次に、本発明の第３実施形態について説明する。
本実施形態に係るヘッドホンは、上記ヘッドホン１と同様の構成を備えるが、調整部が所定角度毎に放音部（軸部）の回動範囲を設定可能な点において相違する。なお、以下の説明では、既に説明した部分と同一又は略同一である部分については、同一の符号を付して説明を省略する。
【００４１】
図１１は、本実施形態に係るヘッドホンが備える軸部３６Ｂ及び調整部５Ｂの構成を示す模式図である。なお、図１１は、後述する回動規制部５２Ｂの端縁５３Ｂ２と他端側規定部５１Ｂ４とが当接している状態を示している。
本実施形態に係るヘッドホンは、放音部３及び調整部５に代えて放音部３Ｂ及び調整部５Ｂを備える他は、上記ヘッドホン１と同様の構成及び機能を有する。
放音部３Ｂは、軸部３６に代えて軸部３６Ｂを有する他は、上記放音部３と同様の構成及び機能を有する。この軸部３６Ｂは、詳しい図示を省略するが、軸部３６と同様に、支持部３５（図１参照）から上方に突出し、対応する連結部４に回動可能に支持される。この軸部３６Ｂは、図１１に示すように、軸部３６とは異なり、凹部３７が形成されていない。この凹部３７の代わりに、軸部３６Ｂには、後述する凹部５３Ｂを有する回動規制部５２Ｂが設けられる。
【００４２】
調整部５Ｂは、調整部５と同様に、ヘッドバンド２の左右両端にそれぞれ設けられた連結部４（４Ｌ，４Ｒ）の内部にそれぞれ設けられ、放音部３Ｂの回動範囲を調整する。この調整部５Ｂは、図１１に示すように、多段規定部５１Ｂと、回動規制部５２Ｂと、操作部（図示省略）と、を有する。
【００４３】
これらのうち、回動規制部５２Ｂは、外周の一部に凹部５３Ｂが形成された円筒状に形成され、上記軸部３６Ｂに設けられて、当該軸部３６Ｂと一体的に回動する。
凹部５３Ｂは、軸部３６Ｂの周方向、すなわち、回動規制部５２Ｂの周方向に沿って、上記凹部３７（図６参照）と同様に形成されている。このような凹部５３Ｂにおける＋Ｄ１方向側の端縁５３Ｂ１は、軸部３６Ｂが上下方向に沿う回動軸ＡＸ２を中心として−Ｄ１方向に回動される際に、多段規定部５１Ｂの一端側規定部５１Ｂ１と当接し得る。
また、−Ｄ１方向側の端縁５３Ｂ２は、軸部３６Ｂが＋Ｄ１方向に回動される際に、多段規定部５１Ｂの他端側規定部５１Ｂ２〜５１Ｂ４のいずれかと当接し得る。
このような回動規制部５２Ｂは、使用者によって操作される操作部によって、軸部３６Ｂの軸方向に沿って移動される。
【００４４】
多段規定部５１Ｂは、それぞれ凹部５３Ｂ内に位置して、軸部３６Ｂの回動範囲を規定する一端側規定部５１Ｂ１及び複数の他端側規定部５１Ｂ２〜５１Ｂ４を有する。本実施形態では、多段規定部５１Ｂは、３つの他端側規定部５１Ｂ２〜５１Ｂ４を有する。
一端側規定部５１Ｂ１には、上記のように、端縁５３Ｂ１が当接され得る。この一端側規定部５１Ｂ１と端縁５３Ｂ１とが当接する位置が、本実施形態では基準位置であり、この状態では、放音部３は、図１及び図２に示した上記通常使用姿勢となる。
【００４５】
他端側規定部５１Ｂ２〜５１Ｂ４は、多段規定部５１Ｂにおいて一端側規定部５１Ｂ１とは反対側にそれぞれ位置する。これら他端側規定部５１Ｂ２〜５１Ｂ４は、凹部５３Ｂ内において軸部３６Ｂの周方向における位置がそれぞれ異なるとともに、当該軸部３６Ｂの軸方向（回動軸ＡＸ２と一致）における位置がそれぞれ異なる。
具体的に、他端側規定部５１Ｂ２は、一端側規定部５１Ｂ１に対して−Ｄ１方向側に位置し、他端側規定部５１Ｂ３は、他端側規定部５１Ｂ２に対して−Ｄ１方向側に位置し、更に、他端側規定部５１Ｂ４は、他端側規定部５１Ｂ３に対して−Ｄ１方向側に位置している。なお、本実施形態では、他端側規定部５１Ｂ３，５１Ｂ４は、他端側規定部５１Ｂ２の位置を０°として、−Ｄ１方向に２２．５°間隔で配置されている。
また、他端側規定部５１Ｂ３は、他端側規定部５１Ｂ２に対して軸部３６Ｂの軸方向における一方側に位置し、他端側規定部５１Ｂ４は、他端側規定部５１Ｂ３に対して更に当該一方側に位置する。なお、一端側規定部５１Ｂ１は、軸部３６Ｂの軸方向に沿って延出しており、回動規制部５２Ｂがどの位置に在っても、上記端縁５３Ｂ１と当接可能に構成されている。
【００４６】
［放音部の回動範囲］
回動規制部５２Ｂが、軸部３６Ｂの軸方向において一端側規定部５１Ｂ１及び他端側規定部５１Ｂ２と同じ位置に位置する場合（当該軸方向に対する直交面のうち、一端側規定部５１Ｂ１及び他端側規定部５１Ｂ２が含まれる直交面上に回動規制部５２Ｂが位置する場合）では、当該回動規制部５２Ｂの回動範囲、すなわち、軸部３６Ｂ（放音部３Ｂ）の回動範囲は、上記基準位置から、上記端縁５３Ｂ２が他端側規定部５１Ｂ２に当接する位置（第１規制位置）までの範囲となる。この場合の回動範囲は、上記基準位置と第１規制位置との間の０°以上９０°以下の範囲となる。なお、他端側規定部５１Ｂ２と端縁５３Ｂ２とが当接した状態では、放音部３Ｂは、図３に示した上記収納姿勢となる。
【００４７】
一方、回動規制部５２Ｂが、軸部３６Ｂの軸方向において一端側規定部５１Ｂ１及び他端側規定部５１Ｂ３と同じ位置に位置する場合では、軸部３６Ｂ（放音部３Ｂ）の回動範囲は、上記基準位置から、上記端縁５３Ｂ２が他端側規定部５１Ｂ３に当接する位置（第２規制位置）までの範囲となる。この場合の回動範囲は、上記基準位置と第２規制位置との間の０°以上、６７．５°以下の範囲となる。
同様に、回動規制部５２Ｂが、軸部３６Ｂの軸方向において一端側規定部５１Ｂ１及び他端側規定部５１Ｂ４と同じ位置に位置する場合では、軸部３６Ｂ（放音部３Ｂ）の回動範囲は、上記基準位置から、上記端縁５３Ｂ２が他端側規定部５１Ｂ４に当接する位置（第３規制位置）までの範囲となる。この場合の回動範囲は、上記基準位置と第３規制位置との間の０°以上、４５°以下の範囲となる。
【００４８】
このように、軸部３６Ｂの軸方向における回動規制部５２Ｂの位置を調整することにより、当該軸部３６Ｂ、ひいては、放音部３Ｂの回動範囲を、０°以上、４５°以下の範囲と、０°以上、６７．５°以下の範囲と、０°以上、９０°以下の範囲とのいずれかに調整可能となる。なお、本実施形態では、０°以上、９０°以下の範囲が、本発明の第１回動範囲に相当し、０°以上、４５°以下の範囲、及び、０°以上、６７．５°以下の範囲のそれぞれが、本発明の第２回動範囲に相当する。
【００４９】
［第３実施形態の作用効果］
以上説明した本実施形態に係るヘッドホンによれば、上記ヘッドホン１と同様の効果を奏することができる他、以下の効果を奏することができる。
調整部５Ｂは、放音部３Ｂの回動範囲における一端を規定する一端側規定部５１Ｂ１と、軸部３６Ｂの軸方向に沿う方向（回動軸ＡＸ２に沿う方向と一致）において位置を違えて配置され、かつ、回動軸ＡＸ２の周方向において位置を違えて配置されて、放音部３Ｂの回動範囲における他端を規定する他端側規定部５１Ｂ２〜５１Ｂ４と、回動軸ＡＸ２に沿って移動可能に軸部３６Ｂに設けられ、一端側規定部５１Ｂ１と他端側規定部５１Ｂ２〜５１Ｂ４のいずれかとに当接されて、回動軸ＡＸ２を中心とする放音部３Ｂの回動を規制する回動規制部５２Ｂと、を有する。これによれば、回動規制部５２Ｂが、他端側規定部５１Ｂ２〜５１Ｂ４のいずれかに当接する位置に、回動軸ＡＸ２に沿って移動されることにより、当該放音部３Ｂの回動範囲を切り替えることができる。従って、放音部３Ｂの回動範囲を確実に切り替えることができ、放音部３Ｂ（軸部３６Ｂ）の回動が規制されて、それ以上回らなくなる位置を確実に切り替えることができる。
【００５０】
［第３実施形態の変形］
上記第３実施形態では、回動規制部５２Ｂが軸部３６Ｂの軸方向に沿って移動されることにより、当該回動規制部５２Ｂの端縁５３Ｂ２が当接される規定部が、他端側規定部５１Ｂ２〜５１Ｂ４から選択された。しかしながら、これに限らず、上記第１及び第２実施形態にて示した軸部３６のように、回動規制部５２Ｂは、軸部３６Ｂと一体化され、当該軸部３６Ｂの軸方向に沿って移動されない構成としてもよい。すなわち、軸部３６Ｂ及び回動規制部５２Ｂに代えて、上記軸部３６を採用してもよい。
この場合、例えば、当該軸方向における凹部の位置は変わらずに、当該軸方向に沿って多段規定部５１Ｂを移動可能とし、これにより、当該凹部の端縁が当接し得る他端側規定部５１Ｂ２〜５１Ｂ４を変更可能に構成してもよい。
【００５１】
また、操作部に対する使用者の操作に応じて、他端側規定部５１Ｂ２から、他端側規定部５１Ｂ３，５１Ｂ４が突出するように構成してもよい。
例えば、図示を省略するが、他端側規定部５１Ｂ３，５１Ｂ４が、他端側規定部５１Ｂ２と同じ位置に配置されて、軸部３６の回動範囲が０°以上、９０°以下とされた状態から上記操作部が操作されると、上記第２規制位置まで、各他端側規定部５１Ｂ３，５１Ｂ４（少なくとも他端側規定部５１Ｂ３）が突出して、上記端縁３７２が他端側規定部５１Ｂ３に当接可能となるように構成してもよい。この場合の軸部３６の回動範囲は、０°以上、６７．５°以下となる。
また、更に上記操作部が操作されると、上記第３規制位置まで、他端側規定部５１Ｂ４が突出して、上記端縁３７２が他端側規定部５１Ｂ４に当接可能となるように構成してもよい。この場合の軸部３６の回動範囲は、０°以上、４５°以下となる。
このような構成を有する調整部であっても、上記第３実施形態に係るヘッドホンと同様の効果を奏することができる。
【００５２】
［第４実施形態］
次に、本発明の第４実施形態について説明する。
本実施形態に係るヘッドホンは、上記ヘッドホン１と同様の構成を有するが、上記回動範囲において所定角度毎に軸部、ひいては、ハンガーを係止可能に構成されている点で相違する。なお、以下の説明では、既に説明した部分と同一又は略同一である部分については、同一の符号を付して説明を省略する。
【００５３】
図１２は、本実施形態に係るヘッドホン１Ｃが備える放音部３Ｃ及び調整部５Ｃの構成を示す模式図である。
本実施形態に係るヘッドホン１Ｃは、図１２に示すように、放音部３及び調整部５に代えて、放音部３Ｃ及び調整部５Ｃを備える他は、上記ヘッドホン１と同様の構成を有する。
放音部３Ｃは、軸部３６に代えて軸部３６Ｃを有する他は、放音部３と同様の構成を有し、軸部３６Ｃは、凹部３７の他、切欠３６Ｃ１〜３６Ｃ７を有する。
切欠３６Ｃ１〜３６Ｃ７は、軸部３６Ｃの外周面に沿って等間隔に形成され、本実施形態では、当該軸部３６Ｃの中心軸を中心として１５°毎に形成されている。そして、これら切欠３６Ｃ１〜３６Ｃ７のいずれかには、後述する調整部５Ｃを構成する挿入部５Ｃ１が挿入される。
【００５４】
調整部５Ｃは、上記調整部５，５Ａ，５Ｂと同様に、各連結部４内に配置され、軸部３６Ｃ、ひいては、放音部３Ｃの回動範囲を調整する。この調整部５Ｃは、軸部３６Ｃの凹部３７内に配置される上記固定規定部５１を有する他、凸状の挿入部５Ｃ１と、付勢部５Ｃ２と、を有する。
これらのうち、付勢部５Ｃ２は、連結部４の内面に取り付けられて、挿入部５Ｃ１を軸部３６Ｃ側に付勢する。このような付勢部５Ｃ２は、例えば圧縮コイルばねや、ゴム等により形成された弾性部材によって構成できる。
【００５５】
挿入部５Ｃ１は、切欠３６Ｃ１〜３６Ｃ７のいずれかに挿入されて、軸部３６Ｃを係止し、これにより、当該軸部３６Ｃの回動を規制する。この挿入部５Ｃ１は、凹部３７の端縁３７１が第１固定規定部５１１に当接する場合、すなわち、軸部３６Ｃの回動角が０°の場合に、切欠３６Ｃ１〜３６Ｃ７のうち最も＋Ｄ１方向側に位置する切欠３６Ｃ１に挿入される。また、挿入部５Ｃ１は、凹部３７の端縁３７２が第２固定規定部５１２に当接する場合、すなわち、軸部３６Ｃの回動角が９０°である場合に、切欠３６Ｃ１〜３６Ｃ７のうち最も−Ｄ１方向側に位置する切欠３６Ｃ７に挿入される。他方、軸部３６Ｃの回動角が４５°である場合には、挿入部５Ｃ１は、切欠３６Ｃ１〜３６Ｃ７のうち中央に位置する切欠３６Ｃ４に挿入される。
【００５６】
図１３は、放音部３Ｃの回動状態を上方から見た図である。
このような挿入部５Ｃ１が切欠３６Ｃ１〜３６Ｃ７のいずれかに挿入されることにより、固定規定部５１に端縁３７１，３７２が当接する軸部３６Ｃの０°以上、９０°以下の回動範囲内の任意の位置で、当該軸部３６Ｃが係止される。これにより、図１３に示すように、放音部３Ｃを、上記０°以上、９０°以下の回動範囲において１５°単位で＋Ｄ１方向及び−Ｄ１方向に回動できる。
この際、放音部３Ｃを回動させて、切欠３６Ｃ１〜３６Ｃ７のいずれかに挿入部５Ｃ１が挿入される際のクリック感を使用者に付与できる。従って、使用者が放音部３Ｃの回動角を把握しやすくすることができる。
【００５７】
［第４実施形態の作用効果］
以上説明した本実施形態に係るヘッドホン１Ｃによれば、以下の効果を奏することができる。
調整部５Ｃは、軸部３６Ｃの回動軸ＡＸ２の周方向に沿って所定角度（本実施形態では１５°）毎に当該軸部３６Ｃを係止する係止部としての挿入部５Ｃ１を有する。これによれば、当該挿入部５Ｃ１が軸部３６Ｃの切欠３６Ｃ１〜３６Ｃ７のいずれかに挿入されることによって、放音部３Ｃが上記角度毎に係止される。このため、当該放音部３Ｃを所望の角度に位置付けやすくすることができる他、当該放音部３Ｃが不意に回動することを抑制できる。
【００５８】
なお、上記ヘッドホン１Ｃでは、調整部５Ｃは、凹部３７の内側に配置される固定規定部５１を有し、当該固定規定部５１に端縁３７１，３７２が当接する範囲に、放音部３Ｃ（軸部３６Ｃ）の回動範囲が規定されるとした。しかしながら、上記調整部５Ｃは、係止部として機能する挿入部５Ｃ１及び付勢部５Ｃ２を有することから、当該固定規定部５１は無くてもよい。なお、このような固定規定部５１が設けられていれば、挿入部５Ｃ１と切欠３６Ｃ１〜３６Ｃ７との係合が解除されて、放音部３Ｃが一周以上回動（回転）してしまうことを抑制できる。
【００５９】
［実施形態の変形］
本発明は、上記実施形態に限定されるものではなく、本発明の目的を達成できる範囲での変形、改良等は本発明に含まれるものである。
上記各実施形態では、放音部の回動範囲は、上記基準位置を０°とした場合に９０°以下の範囲に設定されるとした。しかしながら、これに限らず、放音部の最大回動角は、適宜変更可能である。すなわち、放音部の最大回動角は、９０°より大きくてもよく、例えば、１８０°であってもよい。なお、放音部の回動角が３６０°以上となると、内部に設けられた放音装置を接続するコードが捻じれる可能性があるため、最大回動角は、３６０°より小さいことが好ましい。
なお、基準位置に放音部が位置する場合、ヘッドホンは、上記通常使用姿勢を取るとした。しかしながら、これに限らず、基準位置は、他の姿勢となった際の放音部の位置でもよい。
更に、固定規定部５１の第１固定規定部５１１及び一端側規定部５１Ｂ１は移動されない構成としたが、移動規定部５２，５２Ａのように、操作部に対する操作に応じて移動可能としてもよい。
【００６０】
上記第１実施形態では、第２回動範囲は、基準位置を０°とした場合の０°以上、４５°以下の範囲とした。上記第３実施形態では、第２回動範囲は、基準位置を０°とした場合の０°以上、２２．５°以下の範囲とし、第３回動範囲は、０°以上、４５°以下の範囲とした。しかしながら、これに限らず、各回動範囲内の最大角度は、第１回動範囲の最大角度未満であれば、適宜変更可能である。ここで、当該各角度範囲内の最大角度が、４０°以上、６０°以下の範囲であれば、ＤＪ等の使用者が通常とは異なる形態でヘッドホンを装着する場合であっても、各放音部３を使用者の身体に沿うように配置でき、一対の放音部３のうち一方が邪魔になることを抑制できる。
【００６１】
上記第３実施形態では、多段規定部５１Ｂは、回動軸ＡＸ２に沿う方向において位置を違えて配置され、かつ、回動軸ＡＸ２の周方向において位置を違えて配置される３つの他端側規定部５１Ｂ２〜５１Ｂ４を有するとした。しかしながら、これに限らず、他端側規定部の数は、適宜変更可能である。また、他端側規定部５１Ｂ２〜５１Ｂ４の角度間隔も、２２．５°に限らず、例えば１５°等、適宜変更可能である。
【００６２】
上記第２実施形態では、第１回動範囲を規定する凹部３７内の所定位置に移動規定部５２Ａを移動可能に構成されているとした。また、上記第４実施形態では、軸部３６Ｃが有する複数の切欠３６Ｃ１〜３６Ｃ７のいずれかに挿入部５Ｃ１が挿入されることによって、当該軸部３６Ｃの回動が規制されるとした。このような上記第２実施形態の構成と、上記第４実施形態の構成とを組み合わせてもよい。例えば、移動規定部５２Ａの外側の面に凸状の挿入部を設け、当該移動規定部５２Ａの移動範囲に応じて当該移動規定部５２Ａの外側に、挿入部が挿入される凹状部材を所定角度（例えば１５°）毎に配置し、これら凹状部材を移動規定部５２Ａ側に付勢する付勢部材を設けてもよい。この場合、操作部によって移動規定部５２Ａを移動させる際に、上記クリック感を生じさせることができる他、移動後の移動規定部５２Ａを係止できる。
【００６３】
上記第４実施形態では、放音部３Ｃの軸部３６Ｃには、当該軸部３５Ｃの中心軸を中心として１５°毎に切欠３６Ｃ１〜３６Ｃ７が形成され、当該切欠３６Ｃ１〜３６Ｃ７のいずれかに係止部としての挿入部５Ｃ１が挿入されることによって、軸部３６Ｃ、ひいては、放音部３Ｃの回動が規制されるとした。しかしながら、これに限らず、当該切欠の形成間隔（形成角度）や数は、適宜変更可能である。例えば、切欠は、２０°毎に形成されていてもよい。
【００６４】
上記各実施形態では、放音部３，３Ｂ，３Ｃは、ハウジング３１を支持し、かつ、調整部５，５Ａ，５Ｂ，５Ｃと係合する軸部３６，３６Ｂ，３６Ｃを有するハンガー３４を備えるとした。しかしながら、これに限らず、放音部は、ハウジングを回動可能に支持し、かつ、ヘッドバンドに設けられた連結部に連結されるハンガーを有さない構成としてもよい。この場合、放音部が有する軸部３６，３６Ｂ，３６Ｃは、放音部においてどの部位に位置していてもよい。例えば、軸部は、ハウジングに設けられていてもよく、当該ハウジングが連結部、ひいては、ヘッドバンドに直接連結されていてもよい。
【００６５】
上記各実施形態では、ヘッドバンド２の左右に、放音部３，３Ｂ，３Ｃ、連結部４及び調整部５，５Ａ，５Ｂ，５Ｃがそれぞれ設けられるとした。すなわち、ヘッドホンは、ヘッドバンドと、それぞれ一対の放音部、連結部及び調整部と、を備えるとした。しかしながら、これに限らず、ヘッドバンドにおける左右の一方にのみ、放音部、連結部及び調整部が設けられる構成としてもよく、また、調整部のみが、ヘッドバンドの左右の一方にのみ設けられる構成としてもよい。
【符号の説明】
【００６６】
１，１Ｃ…ヘッドホン、２…ヘッドバンド、３，３Ｂ，３Ｃ…放音部、３２…放音装置、３６，３６Ｂ，３６Ｃ…軸部、３７…凹部、４…連結部、５，５Ａ，５Ｂ，５Ｃ…調整部、５１…固定規定部、５１１…第１固定規定部、５１２…第２固定規定部、５２，５２Ａ…移動規定部、５３…切替部、５４１…本体部（ダイヤル）、５４１Ａ…本体部、５１Ｂ１…一端側規定部、５１Ｂ２，５１Ｂ３，５１Ｂ４…他端側規定部、５２Ｂ…回動規制部、５Ｃ１…挿入部（係止部）。
【図１】
0006718970.tif 000002
【図２】
0006718970.tif 000003
【図３】
0006718970.tif 000004
【図４】
0006718970.tif 000005
【図５】
0006718970.tif 000006
【図６】
0006718970.tif 000007
【図７】
0006718970.tif 000008
【図８】
0006718970.tif 000009
【図９】
0006718970.tif 000010
【図１０】
0006718970.tif 000011
【図１１】
0006718970.tif 000012
【図１２】
0006718970.tif 000013
【図１３】
0006718970.tif 000014